(57)【要約】【課題】掃除機本体の取り回しが軽快で、収納部と掃除機本体との着脱性を安定化でき、掃除機本体の集塵性能の長期的な維持が可能な電気掃除機を提案する。【解決手段】電気掃除機１は、掃除機本体２と、収納台１０とを備える。掃除機本体２は、基部１７に俯仰自在に軸支された本体部１９と、塵埃分離集塵部２６と、電動送風機２７と、塵埃分離集塵部２６に連通された塵埃廃棄連結管部３５、電動送風機２７に連通された吸気連結管部３６と、吸気連結管部３６が開かれると、塵埃分離集塵部２６と電動送風機２７との間を閉じる切換弁３９とを備える。収納台１０は、載置部１３と、塵埃蓄積部４７と、塵埃蓄積部４７に連通された吸塵管４８、および排気管４９とを備える。掃除機本体２が載置部１３に載置され、本体部１９を俯仰させると、吸塵管４８に塵埃廃棄連結管部３５が、かつ排気管４９に吸気連結管部３６が、それぞれ継合される。【選択図】  図９
2010125009.tif 000002
【特許請求の範囲】
【請求項１】
可撓性を有する集塵ホースと、
前記集塵ホースが接続された掃除機本体と、
前記掃除機本体を載置可能な収納台とを備え、
前記掃除機本体は、
被掃除面に配置される基部と、
前記基部に設けられ、俯仰軸を有する俯仰支持部と、
前記俯仰軸回りに俯仰自在に軸支された本体部と、
前記本体部に設けられた第一塵埃集塵部と、
前記本体部に収容され、前記第一塵埃集塵部に連通された電動送風機と、
前記第一塵埃集塵部に連通され、開閉自在に閉塞された第一連結部と、
前記電動送風機に連通され、開閉自在に閉塞された第二連結部と、
前記第一塵埃集塵部と前記電動送風機との間に設けられ、前記第二連結部が開かれると、前記第一塵埃集塵部と前記電動送風機との間の連通口を閉じる切換弁とを備え、
前記収納台は、
前記掃除機本体の載置部と、
前記載置部に設けられた第二塵埃集塵部と、
前記第一連結部に嵌脱自在に形成されるとともに、前記第二塵埃集塵部に連通された吸塵管と、
前記第二塵埃集塵部に連通されるとともに、前記第二連結部に嵌脱自在に形成された排気管とを備え、
前記掃除機本体が前記載置部に載置され、前記本体部を適宜に俯仰させると、前記吸塵管に前記第一連結部が、かつ前記排気管に前記第二連結部が、それぞれ継合可能に構成されたことを特徴とする電気掃除機。
【請求項２】
前記載置部の載置面は、傾斜させて形成され、
前記吸塵管、および前記排気管は、前記載置部の低い側の端部側に配置されたことを特徴とする請求項１に記載の電気掃除機。
【請求項３】
前記載置部は、
前記載置部は、凸部を備えたスライド機構を備え、
前記基部は、その底面に凹部が設けられ、
前記凹部を前記凸部に嵌め込み、前記傾斜に沿って前記掃除機本体を案内可能に構成されたことを特徴とする請求項２に記載の電気掃除機。
【請求項４】
前記載置部は、
ペダルと、
前記ペダルから前記スライド機構部に駆動力を伝達させるスライド駆動機構とを備え、
前記ペダルを作動させると、前記載置部の傾斜の上方に前記掃除機本体を移動可能に構成されたことを特徴とする請求項３に記載の電気掃除機。
【請求項５】
前記集塵ホースは、前記接続口の近傍に配置された直立把持部を備えたことを特徴とする請求項１から４に記載の電気掃除機。
【発明の詳細な説明】
【技術分野】
【０００１】
本発明は、掃除機本体と、掃除機本体の収納台とを備えた電気掃除機に関する。
【背景技術】
【０００２】
従来の電気掃除機は、第一塵埃分離集塵部を有する掃除機本体と、第二塵埃分離集塵部を有する充電台とを備える。従来の電気掃除機は、充電台から離脱された掃除機本体によって被掃除面の塵埃を捕集する。次いで、従来の電気掃除機は、充電台に掃除機本体が装着されると、第一塵埃分離集塵部と第二塵埃分離集塵部とが連通され、掃除機本体の第一塵埃分離集塵部に捕集された塵埃を充電台の第二塵埃分離集塵部で再捕集する。（例えば、特許文献１参照。）
【特許文献１】特開２００８−７９９２２号公報
【発明の開示】
【発明が解決しようとする課題】
【０００３】
従来の電気掃除機は、充電台に掃除機本体を装着する際に、掃除機本体を持ち上げつつ、充電台と掃除機本体との相対的な位置関係を調整し、適切に連結させる必要があった。また、従来の電気掃除機は、掃除機本体の底面と充電台の上面とを結合面とするとともに、この面内で第一塵埃分離集塵部と第二塵埃分離集塵部とを連通させる。
【０００４】
このように、充電台と掃除機本体との連結機構と、第一塵埃分離集塵部と第二塵埃分離集塵部との連通機構とを、ほぼ同時に着脱させなければならないことは、掃除機本体の慣性力に起因する負荷によって、連結機構や、連通機構が確実に接続されず、第一塵埃分離集塵部と第二塵埃分離集塵部との連通経路を確実に形成できない虞があった。また、充電台と掃除機本体との連結機構と、第一塵埃分離集塵部と第二塵埃分離集塵部との連通機構とを、ほぼ同時に着脱させなければならないことは、掃除機本体の取り回しの軽快性を向上させるうえで、掃除機本体の構造様式の選択の自由度を低下させる。
【０００５】
本発明は、掃除機本体の取り回しが軽快で、収納部と掃除機本体との着脱性を安定化でき、掃除機本体の集塵性能の長期的な維持が可能な電気掃除機を提案する。
【課題を解決するための手段】
【０００６】
前記の課題を解決するため本発明は、可撓性を有する集塵ホースと、前記集塵ホースが接続された掃除機本体と、前記掃除機本体を載置可能な収納台とを備え、前記掃除機本体は、被掃除面に配置される基部と、前記基部に設けられた俯仰支持部と、前記俯仰支持部の俯仰軸回りに俯仰自在に軸支された本体部と、前記本体部に設けられた第一塵埃集塵部と、前記本体部に収容され、前記第一塵埃集塵部に連通された電動送風機と、前記第一塵埃集塵部に連通され、開閉自在に閉塞された第一連結部と、前記電動送風機に連通され、開閉自在に閉塞された第二連結部と、前記第一塵埃集塵部と前記電動送風機との間に設けられ、前記第二連結部が開かれると、前記第一塵埃集塵部と前記電動送風機との間を閉じる切換弁とを備え、前記収納台は、前記掃除機本体の載置部と、前記載置部に設けられた第二塵埃集塵部と、前記第一連結部に嵌脱自在に形成されるとともに、前記第二塵埃集塵部に連通された吸塵管と、前記第二塵埃集塵部に連通されるとともに、前記第二連結部に嵌脱自在に形成された排気管とを備え、前記掃除機本体が前記載置部に載置され、前記本体部を適宜に俯仰させると、前記吸塵管に前記第一連結部が、かつ前記排気管に前記第二連結部が、それぞれ継合可能に構成されたことを特徴とする。
【発明の効果】
【０００７】
本発明によれば、掃除機本体の取り回しが軽快で、収納部と掃除機本体との着脱性を安定化でき、掃除機本体の集塵性能の長期的な維持が可能な電気掃除機を提案できる。
【発明を実施するための最良の形態】
【０００８】
本発明に係る電気掃除機の実施形態について図１から図１０を参照して説明する。
【０００９】
図１は、本発明の実施形態に係る電気掃除機の収納状態の外観を示した斜視図である。
【００１０】
図１に示すように、本実施形態に係る電気掃除機１は、掃除機本体２と、集塵ホース３と、手元操作管４と、把持部５と、操作部６と、延長管７と、吸込口体８と、収納台１０とを備える。
【００１１】
掃除機本体２は接続口２ａを有する。接続口２ａには、集塵ホース３の一端が着脱自在に接続される。
【００１２】
集塵ホース３は、可撓性を有し、湾曲自在な細長略円筒状に形成される。集塵ホース３の一端は、接続口２ａに着脱自在に接続される。集塵ホース３は、掃除機本体２の内部に連通される。集塵ホース３は、接続口２ａの近傍に配置されたハンドル１１（直立把持部）が設けられる。
【００１３】
手元操作管４の一端は、集塵ホース３の他端に設けられる。手元操作管４は、集塵ホース３を介して掃除機本体２の内部に連通される。
【００１４】
把持部５は、電気掃除機１の使用者が把持して電気掃除機１を操作するものである。把持部５は、手元操作管４の他端部に突設され、集塵ホース３が設けられた手元操作管４の一端部に向けて湾曲させて形成される。
【００１５】
操作部６は、把持部５に設けられる。電気掃除機１の使用者は、操作部６を操作して電気掃除機１を複数の駆動モードに設定できる。操作部６は、電気掃除機１の運転を停止させる切スイッチ６ａや、電気掃除機１の運転を開始させる起動スイッチ６ｂを有する。
【００１６】
延長管７は、伸縮可能な細長略円筒状に形成される。延長管７は、複数の筒状体を重ね合わせてテレスコピック構造に構成される。延長管７の一端は、手元操作管４の他端に着脱自在に接続される。延長管７は、手元操作管４、および集塵ホース３を介して掃除機本体２の内部に連通される。
【００１７】
吸込口体８は、延長管７の一端に着脱自在に接続される。吸込口体８は、延長管７、手元操作管４、および集塵ホース３を介して掃除機本体２の内部に連通される。吸込口体８は、吸込口（図示省略）を有する。吸込口は、床面などの被掃除面Ｆに吸込口体８を配置すると、被掃除面Ｆに対向される。
【００１８】
収納台１０は、載置部１３と、寄掛柱部１４とから構成される。載置部１３は、傾斜させて形成された上面１３ａ（載置面）を有する。載置部１３の上面１３ａは、掃除機本体２を載置可能に構成される。載置部１３には、ペダル１５が設けられる。寄掛柱部１４は、載置部１３の低く傾斜された一端側に設けられる。寄掛柱部１４は、収納台１０を、略水平な被掃除面に配置させると、略鉛直上向きに向かって延設される。寄掛柱部１４の上端には、集塵ホース３のハンドル１１が係脱自在に係止される。
【００１９】
図２は、本発明の実施形態に係る電気掃除機の使用状態の外観を示した斜視図である。
【００２０】
図２に示すように、電気掃除機１は、収納台１０から掃除機本体２を取り外し、被掃除面に配置させると、掃除機本体２と、集塵ホース３と、手元操作管４と、把持部５と、操作部６と、延長管７と、吸込口体８とから構成された掃除機組立１６となる。
【００２１】
図３は、本発明の実施形態に係る電気掃除機の掃除機本体の正面図である。
【００２２】
図４は、本発明の実施形態に係る電気掃除機の掃除機本体の平面図である。
【００２３】
図５は、本発明の実施形態に係る電気掃除機の掃除機本体の側面図である。
【００２４】
図２から図５に示すように、電気掃除機１の掃除機本体２は、被掃除面Ｆに配置される基部１７と、基部１７に設けられた俯仰支持部１８と、俯仰支持部１８の俯仰軸ｘ回りに俯仰（図２および図５中、実線矢Ｒｘ方向）自在に軸支された本体部１９とを備える。
【００２５】
基部１７は、被掃除面Ｆに配置される基部本体２１と、基部本体２１に旋回自在に軸支された旋回台部２２とを備える。基部本体２１には、旋回台部２２が、旋回軸ｚ回りに旋回（図２および図４中、実線矢Ｒｚ方向）自在に軸支される。旋回軸ｚは、掃除機本体２を接地面に配置すると、接地面の法線方向に配置される。具体的には、旋回軸ｚは、掃除機本体２を略水平な床などの被掃除面Ｆに配置すると、略鉛直になる。旋回台部２２には、俯仰支持部１８が設けられる。基部１７には、本体部１９に電力を供給する二次電池２３が収容される。二次電池２３は、本体部１９を囲む位置に配置される。なお、二次電池２３は、本体部１９の全周を囲むように配置しても良く、俯仰支持部１８近傍の本体部１９の側方のみを囲むように配置しても良い。また、二次電池２３は、基部本体２１、および旋回台部２２のいずれに収容させても良い。
【００２６】
基部本体２１の底面には、少なくとも３つのキャスタ２４（車輪）が設けられる。掃除機本体２を略水平な被掃除面Ｆに配置させると、掃除機本体２の重心の被掃除面Ｆに対する正投影位置は、それぞれのキャスタ２４を頂点とする多角形、例えば、キャスタ２４が３つの場合には三角形の内側に位置される。具体的には、キャスタ２４は、基部本体２１底面の外周縁近傍に配置される。したがって、掃除機本体２は、キャスタ２４によって被掃除面Ｆ上で、安定した旋回動作、走行動作が可能となる。
【００２７】
俯仰支持部１８には、本体部１９が、俯仰軸ｘ回りに俯仰自在に軸支される。俯仰軸ｘは、掃除機本体２を略水平な床などの被掃除面Ｆに配置すると、被掃除面Ｆに対して略平行になる。
【００２８】
本体部１９は、俯仰支持部１８によって、基部１７の接地面である被掃除面Ｆに対し、一方に略平行な状態から、他方に略平行な状態まで俯仰自在であるとともに、旋回台部２２によって、被清掃面の法線回りに３６０°旋回自在に保持される。本体部１９には、塵埃分離集塵部２６と、電動送風機２７とが収容される。また、掃除機本体２には、本体ハンドル２８と、電動送風機２７の排気が吐出される本体排気口（図示省略）とが形成される。
【００２９】
本体部１９は、接続口２ａを有する。本体部１９は、接続口２ａに集塵ホース３が接続され、掃除機本体２が取り回されると、俯仰支持部１８によって、基部１７の接地面である被掃除面Ｆに対し、適宜に俯仰することで集塵ホース３湾曲を抑制できる。具体的には、図５に示すように、本体部１９は、集塵ホース３の取り回しに追従して適宜に俯仰し、例えば、集塵ホース３が被掃除面に略水平の一方向に引っ張られると、接続口２ａを略水平方向に向けて追従する（図５中、実線矢Ａ）。また、本体部１９は、集塵ホース３が被掃除面に略垂直に引っ張られると、接続口２ａを略上方向に向けて追従する（図５中、実線矢Ｂ）。さらに、本体部１９は、集塵ホース３が被掃除面に略水平の他方向に引っ張られると、接続口２ａを略水平方向に向けて追従する（図５中、実線矢Ｃ）。さらにまた、本体部１９は、俯仰可能な範囲で、集塵ホース３の取り回しに追従して適宜に接続口２ａの方向を変更させる。これによって、電気掃除機１は、集塵ホース３の取り回しにともなう湾曲が抑制され、集塵ホース３の湾曲による吸込み性能の低下を抑制できる。
【００３０】
俯仰支持部１８に係止爪３０ａが形成され、本体部１９に係止凹部３０ｂが形成される。係止爪３０ａと、係止凹部３０ｂとは、相互に係脱自在に設けられ、本体部１９を所定の俯角、または仰角で仮止め可能なクリック機構３０を構成する。クリック機構３０は、係止爪３０ａと係止凹部３０ｂとが係止されると、俯仰支持部１８によって俯仰自在に支持された本体部１９を、適宜の俯仰位置で保持する。具体的には、クリック機構３０は、掃除機本体２を略水平な床などの被掃除面Ｆに配置すると、本体部１９の接続口２ａが鉛直上向きに仮止めされるように構成できる。
【００３１】
電気掃除機１から掃除機本体２を取り外し、掃除機組立１６を運転すると、電動送風機２７が作動して、掃除機本体２の内に負圧が作用する。この負圧は接続口２ａから集塵ホース３と手元操作管４と延長管７とを経て吸込口体８に作用する。そうすると、電気掃除機１は吸込口体８の吸込口から空気とともに被掃除面に溜まった塵埃を吸い込んで被掃除面を掃除する。吸込口体８に吸い込まれた含塵空気は、掃除機本体２に収容された塵埃分離集塵部によって空気と塵埃とに分離される。分離された塵埃は塵埃分離集塵部に集塵される。他方、分離された空気は、電動送風機２７に吸い込まれて、掃除機本体２の本体排気口から吐出される。
【００３２】
図６は、本発明の実施形態に係る電気掃除機の掃除機本体を示した断面図である。
【００３３】
図６に示すように、電気掃除機１の掃除機本体２は、基部１７と、俯仰支持部１８と、本体部１９とを備える。
【００３４】
基部１７は、基部本体２１と、旋回台部２２とを備える。
【００３５】
基部本体２１のキャスタ２４は、基部本体２１の底面に設けられたキャスタ軸３２に、旋回自在に軸支される。キャスタ軸３２の旋回軸Ｒｃは、キャスタ２４の車軸２４ａに交差することなく、相互にねじれの位置にある。それぞれのキャスタ軸３２は、相互に平行に構成される。また、それぞれのキャスタ軸３２の旋回軸Ｒｃは、基部１７が略水平な床などの被掃除面Ｆに配置されると、被掃除面Ｆに略垂直になる。
【００３６】
本体部１９は、掃除機本体２の接続口２ａを有する接続管３３と、接続管３３に連通された塵埃分離集塵部２６（第一塵埃集塵部）と、塵埃分離集塵部２６に連通された電動送風機２７とを備える。
【００３７】
接続管３３の開口端は、掃除機本体２の接続口２ａである。接続管３３は、俯仰軸ｘに直交する平面（例えば、図６の断面）に沿ういずれかの方向に中心軸ｃが配置される。さらに、具体的には、接続管３３は、その中心軸ｃが俯仰軸ｘに直交する面に沿い、かつ、接続口２ａが俯仰軸ｘから遠ざかる方向へ開口され、さらに、俯仰軸ｘから最も遠い位置に配置される。
【００３８】
また、本体部１９は、その俯仰運動にともなって、俯角もしくは仰角の変化する一方の側面、例えば底面１９ａに、塵埃廃棄連結管部３５（第一連結部）と、吸気連結管部３６（第二連結部）とを備える。
【００３９】
塵埃廃棄連結管部３５は、塵埃分離集塵部２６の内部と、本体部１９の外部とを連通させる。塵埃廃棄連結管部３５は、開閉自在に設けられた仕切弁３７を備える。仕切弁３７は、閉じられる方に付勢される。
【００４０】
吸気連結管部３６は、電動送風機２７の上流側と、本体部の外部とを連通させる。吸気連結管部３６は、塵埃分離集塵部２６と電動送風機２７との間に設けられた風路切換部３８を備える。風路切換部３８は、切換弁３９を備える。切換弁３９は、塵埃分離集塵部２６の内部と、電動送風機２７の上流側とを連通させ、他方、電動送風機２７の上流と、本体部１９の外部との連通を遮断させる方に付勢される。
【００４１】
さらに、本体部１９は、俯仰軸ｘに対して軸対象に配置された本体ハンドル２８ａ、２８ｂを備える。本体ハンドル２８ａ、２８ｂは、本体部１９が、基部１７の接地面である被掃除面Ｆに対して、一方に略平行な状態、および他方に略平行な状態のそれぞれの状態において把持可能に設けられる。掃除機本体２は、本体ハンドル２８ａ、２８ｂによって、本体部１９がいずれの方向に俯仰されていても運搬できる。本体ハンドル２８ａ、２８ｂによって、掃除機本体２の可搬性が向上される。
【００４２】
図７および図８は、本発明の実施形態に係る電気掃除機の掃除機本体の風路切換部を部分的に示した斜視図である。図７は、風路切換部の塵埃分離集塵部側を示した図である。図８は、風路切換部の電動送風機側を示した図である。
【００４３】
図７および図８に示すように、掃除機本体２の風路切換部３８は、塵埃分離集塵部２６と、電動送風機２７とを連通させる第一開口４０を有する板状体部４１と、板状体部４１に摺動自在に設けられたスライド板４２と、スライド板４２の摺動で揺動されるリンク４３と、リンク４３の揺動で回動される切換弁３９とを備える。
【００４４】
板状体部４１は、電動送風機２７の上流側と、本体部１９の外部とを連通させる第二開口４４を有する区画壁４５を備える。
【００４５】
切換弁３９は、第一開口４０(連通口)を開閉させる第一弁体３９ａと、第二開口４４を開閉させる第二弁体３９ｂとを備える。第一弁体３９ａと、第二弁体３９ｂとは、一方の弁体が一方の開口を閉じると、他方の弁体が他方の開口を開く。具体的には、第一弁体３９ａが第一開口４０を閉じると、第二弁体３９ｂが第二開口４４を開く。他方、第二弁体３９ｂが第二開口４４を閉じると、第一弁体３９ａが第一開口４０を開く。切換弁３９は、第一開口４０を開き、第二開口４４を閉じる方に、スプリング（図示省略）などの弾性部材によって付勢される。このとき、風路切換部３８は、塵埃分離集塵部２６と、電動送風機２７とを連通させるとともに、電動送風機２７の上流側と、本体部１９の外部との連通を遮断させる。
【００４６】
風路切換部３８は、スライド板４２が本体部１９の内方に向けて押し込まれると、リンク４３を介して切換弁３９を作動させ、第一開口４０を閉じ、第二開口４４を開く。このとき、風路切換部３８は、塵埃分離集塵部２６と、電動送風機２７との連通を遮断させるとともに、電動送風機２７の上流側と、本体部１９の外部とを連通させる。
【００４７】
図９は、本発明の実施形態に係る電気掃除機を切り欠いて示した斜視図である。
【００４８】
図９に示すように、電気掃除機１の収納台１０は、掃除機本体２の塵埃分離集塵部２６よりも容積の大きい塵埃蓄積部４７（第二塵埃集塵部）と、一方の端部が寄掛柱部１４に設けられ、他方の端部が塵埃蓄積部４７に連通された吸塵管４８と、一方の端部が寄掛柱部１４に設けられ、他方の端部が塵埃蓄積部４７に連通された排気管４９と、載置部１３の上方に設けられたスライド機構部５１とを備える。また、収納台１０は、掃除機本体２の二次電池２３を充電する充電機構（図示省略）を備える。
【００４９】
塵埃蓄積部４７は、載置部１３に収容される。
【００５０】
吸塵管４８、および排気管４９の一方の端部に当たる開口端４８ａ、４９ａは、寄掛柱部１４に配置される。吸塵管４８の開口端４８ａは、掃除機本体２の塵埃廃棄連結管部３５に嵌脱自在に形成される。排気管４９の開口端４９ａは、掃除機本体２の吸気連結管部３６に嵌脱自在に形成される。吸塵管４８の開口端４８ａと、排気管４９の開口端４９ａとの相対的な位置関係は、塵埃廃棄連結管部３５と、吸気連結管部３６との相対的な位置関係に対応させて配置される。
【００５１】
スライド機構部５１は、載置部１３の上面１３ａから突出させて形成された凸部５１ａを備える。スライド機構部５１は、載置部１３の上面１３ａの傾斜に沿って凸部５１ａを上下に往復動自在に構成される。凸部５１ａは、掃除機本体２の基部１７の底面に設けられた凹部１７ａに嵌脱自在に形成される。
【００５２】
充電機構は、掃除機本体２が載置部１３の上面１３ａに載置されると、収納台１０と、掃除機本体２とを電気的に接続させる。これによって、二次電池２３は、充電される。充電機構は、掃除機本体２、および収納台１０のそれぞれに設けられた接点（図示省略）で接続される物でも良く、また、非接触式で電気的に接続されるものでも良い。
【００５３】
掃除機本体２が、載置部１３の上面１３ａに搬送され、掃除機本体２の凹部１７ａがスライド機構部５１の凸部５１ａに嵌め込まれると、スライド機構部５１は、掃除機本体２の自重によって載置部１３の上面１３ａを下り、掃除機本体２を寄掛柱部１４に誘導する。
【００５４】
掃除機本体２が寄掛柱部１４に接近し、掃除機本体２の本体部１９が適宜に俯仰、もしくは旋回され、収納姿勢が取られると、吸塵管４８の開口端４８ａは、掃除機本体２の塵埃廃棄連結管部３５に継合され、他方、排気管４９の開口端４９ａは、掃除機本体２の吸気連結管部３６に継合される。このとき、掃除機本体２のスライド板４２が、寄掛柱部１４に設けられた板状の突起１４ａに押し込まれて、切換弁３９が作動される。
【００５５】
ここで、掃除機本体２の収納姿勢とは、本体部１９を自由に俯仰可能な状態において、電気掃除機１の使用者が所定の俯角、または仰角で把持することでも良く、また、掃除機本体２のクリック機構３０で、本体部１９を所定の俯角、または仰角で仮止めすることでも良い。
【００５６】
これによって、掃除機本体２は、収納台１０に収納されるとともに、掃除機本体２の塵埃分離集塵部２６と、収納台１０の塵埃蓄積部４７と、電気掃除機本体の電動送風機２７とが、直列に連通される。
【００５７】
図１０は、本発明の実施形態に係る電気掃除機の収納部を部分的に切り欠いて示した斜視図である。
【００５８】
図１０に示すように、収納台１０は、ペダル１５からスライド機構部５１に駆動力を伝達させるスライド駆動機構５３を備える。ペダル１５が押し下されると、スライド機構部５１によって、載置部１３の上面１３ａの傾斜の上方に掃除機本体２が移動される。
【００５９】
スライド駆動機構５３は、複数の歯車５３ａ、５３ｂ、５３ｃ、５３ｄから構成される。スライド機構部５１にはラック５１ｂが設けられる。
【００６０】
次に、本実施形態に係る電気掃除機１の掃除動作を説明する。
【００６１】
電気掃除機１の使用者は、先ず、掃除機本体２を収納台１０から取り外す。電気掃除機１の使用者は、集塵ホース３のハンドル１１を把持し、ハンドル１１と寄掛柱部１４との係止を解除するとともに、収納台１０のペダル１５を踏み込み、載置部１３上の掃除機本体２を寄掛柱部１４から離脱させる。そうすると、電気掃除機１の使用者は、載置部１３の上面１３ａから掃除機本体２を容易に取り外すことができる。
【００６２】
次に、電気掃除機１の使用者は、吸込口体８を床面などの被掃除面Ｆ上に配置するとともに、把持部５を把持して起動スイッチ６ｂを操作する。そうすると、起動スイッチ６ｂで設定された動作モードに応じて電動送風機２７が作動する。
【００６３】
次いで、電気掃除機１の使用者は、把持部５を操作して、吸込口体８を走行する。
【００６４】
このとき、例えば、電気掃除機１の使用者が、把持部５を前後に繰り返し操作して被掃除面Ｆを清掃すると、手元操作管４、延長管７、および吸込口体８は、前後に往復運動する。これとともに、掃除機本体２の本体部１９は、集塵ホース３の湾曲に追従して俯仰支持部１８の俯仰軸ｘ回りに俯仰運動される。電気掃除機１の使用者が、把持部５を上下に繰り返し操作して壁などの被掃除面Ｆを掃除する場合にも、同様である。また、電気掃除機１の使用者が、急激に進行方向を変更して把持部５を引張ると、掃除機本体２は、旋回台部２２、またはキャスタ２４によって集塵ホース３の湾曲に追従して旋回運動する。さらに、電気掃除機１の使用者が、被掃除場所を移動して把持部５を引張ると、掃除機本体２は、俯仰支持部１８、旋回台部２２、およびキャスタ２４によって、集塵ホース３の湾曲に追従して俯仰運動、および旋回運動されるとともに、被掃除面Ｆ上を走行する。
【００６５】
被掃除面Ｆ上の塵埃は、空気とともに吸込口体８の吸込口に吸い込まれる。吸込口体８に吸い込まれた含塵空気は、延長管７と手元操作管４と集塵ホース３とを順次に通過した後、掃除機本体２の接続口２ａを経て、掃除機本体２の内部に吸い込まれる。
【００６６】
掃除機本体２の内部に吸い込まれた含塵空気は、塵埃分離集塵部２６に案内される。ここで、含塵空気は、塵埃分離集塵部２６によって空気と、塵埃とに分離される。分離された塵埃は、塵埃分離集塵部２６によって捕集される。他方、分離された空気は、電動送風機２７に吸気され、また、電動送風機２７を冷却しつつ排気され、さらに、本体排気口から掃除機本体２の外部に排気される。
【００６７】
電気掃除機１の使用者は、掃除が終わると切スイッチ６ａを操作する。そうすると、電動送風機２７が停止する。
【００６８】
次に、電気掃除機１の使用者は、掃除機組立１６を収納台１０の近傍まで運搬し、集塵ホース３に設けられたハンドル１１を把持して掃除機本体２を持ち上げる。
【００６９】
このとき、掃除機本体２は、本体部１９が俯仰し、集塵ホース３が接続された接続口２ａを上方に向ける。
【００７０】
次に、電気掃除機１の使用者は、掃除機本体２を載置部１３の上方に搬送し、掃除機本体２の凹部１７ａを収納台１０の凸部５１ａに嵌合させる。
【００７１】
そうすると、掃除機本体２は、スライド機構部５１を摺動させつつ、載置部１３の上面１３ａを下り、掃除機本体２を寄掛柱部１４に近接する。
【００７２】
次に、電気掃除機１の使用者は、ハンドル１１を把持して本体部１９を俯仰、もしくは旋回させ、掃除機本体２を適宜に収納姿勢とする。そうすると、吸塵管４８の開口端４８ａは、掃除機本体２の塵埃廃棄連結管部３５に継合され、他方、排気管４９の開口端４９ａは、掃除機本体２の吸気連結管部３６に継合される。このとき、掃除機本体２のスライド板４２が、寄掛柱部１４に設けられた板状の突起１４ａに押し込まれて、切換弁３９が作動される。
【００７３】
これによって、掃除機本体２は、収納台１０に収納されるとともに、掃除機本体２の塵埃分離集塵部２６と、収納台１０の塵埃蓄積部４７と、電気掃除機本体の電動送風機２７とが、直列に連通される。
【００７４】
この後、電気掃除機１は、所要の時間、電動送風機２７を運転する。電動送風機２７が運転されると、塵埃分離集塵部２６に蓄積された塵埃は、空気とともに吸塵管４８を通って塵埃蓄積部４７に案内される。塵埃蓄積部４７に案内された含塵空気は、塵埃蓄積部４７で空気と塵埃とに分離される。分離された塵埃は、塵埃蓄積部４７に捕集される。他方、分離された空気は、排気管４９を経て電動送風機２７に吸気され、また、電動送風機２７を冷却しつつ排気され、さらに、本体排気口から掃除機本体２の外部に排気される。
【００７５】
このように構成された電気掃除機１によれば、掃除機本体２を収納台１０に載置する際に、先ず、掃除機本体２の重量を収納台１０に預け、この後に、掃除機本体２の運搬に比べて十分に小さい力で本体部１９の塵埃分離集塵部２６と、塵埃蓄積部４７とを連通させることができる。これによって、掃除機本体２を収納台１０に配置する動作と、塵埃分離集塵部２６と、塵埃蓄積部４７とを連通させる動作とを独立させて行うことが可能となり、掃除機本体２の塵埃廃棄連結管部３５、吸気連結管部３６や、収納台１０の吸塵管４８、排気管４９を確実に接続できる。
【００７６】
また、電気掃除機１によれば、俯仰支持部１８、旋回台部２２、およびキャスタ２４によって、掃除機本体２の取り回しの軽快性を向上できるとともに、塵埃廃棄連結管部３５や、吸気連結管部３６が設けられた本体部１９を俯仰、もしくは旋回させつつ、塵埃分離集塵部２６と、塵埃蓄積部４７とを確実に連通させることができる。
【００７７】
さらに、電気掃除機１によれば、掃除機本体２に蓄積された塵埃は、掃除機本体２を収納台１０に載置する度に、収納台１０に再捕集される。これによって、掃除機組立１６の集塵性能は、長期に亘って維持可能となる。
【００７８】
本実施形態に係る電気掃除機１によれば、掃除機本体２の取り回しが軽快で、収納台１０と掃除機本体２との着脱性を安定化でき、掃除機本体２の集塵性能の長期的な維持が可能となる。
【図面の簡単な説明】
【００７９】
【図１】本発明の実施形態に係る電気掃除機の収納状態の外観を示した斜視図。
【図２】本発明の実施形態に係る電気掃除機の使用状態の外観を示した斜視図。
【図３】本発明の実施形態に係る電気掃除機の掃除機本体の正面図。
【図４】本発明の実施形態に係る電気掃除機の掃除機本体の平面図。
【図５】本発明の実施形態に係る電気掃除機の掃除機本体の側面図。
【図６】本発明の実施形態に係る電気掃除機の掃除機本体を示した断面図。
【図７】本発明の実施形態に係る電気掃除機の掃除機本体の風路切換部を部分的に示した斜視図。
【図８】本発明の実施形態に係る電気掃除機の掃除機本体の風路切換部を部分的に示した斜視図。
【図９】本発明の実施形態に係る電気掃除機を切り欠いて示した斜視図。
【図１０】本発明の実施形態に係る電気掃除機の収納部を部分的に切り欠いて示した斜視図。
【符号の説明】
【００８０】
１  電気掃除機
２  掃除機本体
２ａ  接続口
３  集塵ホース
４  手元操作管
５  把持部
６  操作部
６ａ  切スイッチ
６ｂ  起動スイッチ
７  延長管
８  吸込口体
１０  収納台
１１  ハンドル
１３  載置部
１３ａ  上面
１４  寄掛柱部
１４ａ  突起
１５  ペダル
１６  掃除機組立
１７  基部
１７ａ  凹部
１８  俯仰支持部
１９  本体部
１９ａ  底面
２１  基部本体
２２  旋回台部
２３  二次電池
２４  キャスタ
２４ａ  車軸
２６  塵埃分離集塵部
２７  電動送風機
２８  本体ハンドル
３０  クリック機構
３０ａ  係止爪
３０ｂ  係止凹部
３２  キャスタ軸
３３  接続管
３５  塵埃廃棄連結管部
３６  吸気連結管部
３７  仕切弁
３８  風路切換部
３９  切換弁
３９ａ  第一弁体
３９ｂ  第二弁体
４０  第一開口
４１  板状体部
４２  スライド板
４３  リンク
４４  第二開口
４５  区画壁
４７  塵埃蓄積部
４８  吸塵管
４８ａ  開口端
４９  排気管
４９ａ  開口端
５１  スライド機構部
５１ａ  凸部
５１ｂ  ラック
５３  スライド駆動機構
５３ａ  歯車
【図１】
2010125009.tif 000003
【図２】
2010125009.tif 000004
【図３】
2010125009.tif 000005
【図４】
2010125009.tif 000006
【図５】
2010125009.tif 000007
【図６】
2010125009.tif 000008
【図７】
2010125009.tif 000009
【図８】
2010125009.tif 000010
【図９】
2010125009.tif 000011
【図１０】
2010125009.tif 000012